(57)【要約】【課題】  読取ヘッドと記録ヘッドとを共通の駆動手段で駆動させることにより、装置内のレイアウトや省スペース化に対する制約を軽減し、さらに必要に応じて、読取ヘッドと記録ヘッドのいずれか一方又は両方の駆動を選択的に行なう。【解決手段】  被記録媒体Ｐに沿って走査される記録ヘッド６及び原稿に沿って走査される読取ヘッド１０の両走査方向が平行であるように構成され、記録ヘッド６及び読取ヘッド１０のいずれか一方を走査方向に沿って移動させる駆動手段２８と、記録ヘッド６と読取ヘッド１０とを係脱可能に連結する連結手段２９とが備えられ、この連結手段２９は、記録ヘッド６と読取ヘッド１０が連結されて一体的に走査方向に沿って移動される連結モードと、記録ヘッド６と読取ヘッド１０との連結が解除されて、一方のみが走査方向に沿って移動される連結解除モードとに選択的に作動するように構成される。【選択図】  図３
2006279422.tif 000002
【特許請求の範囲】
【請求項１】
原稿に沿って走査される読取ヘッドを有して原稿上の画像を読み取る画像読取部と、被記録媒体に沿って走査される記録ヘッドを有して被記録媒体上に画像を記録する記録部とを備える画像記録装置において、
前記記録ヘッド及び前記読取ヘッドの両走査方向が平行であるように構成され、
前記記録ヘッド及び前記読取ヘッドのいずれか一方を走査方向に沿って移動させる駆動手段と、
前記記録ヘッドと読取ヘッドとを係脱可能に連結する連結手段とが備えられ、
この連結手段は、前記記録ヘッドと前記読取ヘッドが連結されて一体的に走査方向に沿って移動される連結モードと、前記記録ヘッドと前記読取ヘッドとの連結が解除されて、一方のみが走査方向に沿って移動される連結解除モードとに選択的に作動することを特徴とする画像記録装置。
【請求項２】
前記連結手段は、係合穴と、この係合穴に対する係合位置と離脱位置との間で変位可能な係合片と、この係合片を係合位置と離脱位置との間で変位させるアクチュエータと、からなり、前記記録ヘッド側及び前記読取ヘッド側のいずれか一方に係合穴が、他方に係合片がそれぞれ設けられていることを特徴とする請求項１に記載の画像記録装置。
【請求項３】
前記駆動手段は、前記記録ヘッドに接続されていることを特徴とする請求項１または２に記載の画像記録装置。
【請求項４】
前記画像読取部で読み取った原稿データを、前記記録部で記録する複写モードの場合には、
前記読取ヘッドを前記記録ヘッドと連結して、前記読取ヘッドを原点位置から所定位置まで走査し、前記原稿データの一部を読み取り、
前記所定位置にて前記記録ヘッドと前記読取ヘッドとの連結を解除して、前記記録ヘッドだけを、前記原稿データの一部を記録するように走査し、
さらに、前記所定位置にある前記読取ヘッドと前記記録ヘッドとを連結して、前記読取ヘッドを前記所定位置から次の所定位置まで走査し、前記原稿データの次の一部を読み取り、
前記次の所定位置にて前記記録ヘッドと前記読取ヘッドとの連結を解除して、前記記録ヘッドだけを、前記原稿データの次の一部を記録するように走査するように構成されていることを特徴とする請求項３に記載の画像記録装置。
【請求項５】
前記記録ヘッドと前記読取ヘッドのうちの前記係合解除モードの場合に走査されない他方のヘッドに対して、当該ヘッドを移動しないように固定する移動ロック手段が設けられていることを特徴とする請求項１から４のいずれかに記載の画像記録装置。
【発明の詳細な説明】
【技術分野】
【０００１】
本発明は、画像記録装置に係り、特に、読取ヘッドを走査して原稿上の画像を読み取る画像読取部と、記録ヘッドを走査して被記録媒体上に画像を記録する記録部との両方を備えた画像記録装置に関するものである。
【背景技術】
【０００２】
画像記録装置として、近年、プリンタ機能、コピー機能、スキャナ機能、ファクシミリ機能等を備えた多機能装置が知られている。このような画像記録装置では、例えば、ファクシミリ機能によりデータ（ファクシミリデータ）を受信した場合や、ＰＣ等の外部装置からデータ（記録データ）を受信した場合、あるいはスキャナ機能により読み取ったデータ（原稿データ）に基づいてコピー機能を実行する場合には、プリンタ機能を用いて、被記録媒体上に画像を記録する。プリンタ機能が、例えば、シリアル型インクジェットプリンタによる場合には、通常、キャリッジに搭載された記録ヘッドが、被記録媒体の搬送方向（副走査方向）と直交する方向（主走査方向）に移動しながらインクをデータに応じて吐出することにより、被記録媒体上に画像を記録するから、画像記録装置には、記録ヘッドを走査方向に沿って移動させるための駆動手段が必要であった。
【０００３】
一方、スキャナ機能は、原稿の原稿面を読取ヘッド（光電変換素子を搭載したＣＣＤ、ＣＩＳ等からなるヘッド）で読み取る。静置する読取ヘッドに対して、原稿を搬送させながら読み取る自動原稿搬送方式もあるが、一般的には、透明なガラス等からなる板状の載置台上に画像面を下に向けた状態で原稿を静置して、読取ヘッドを載置台の下方を原稿に沿って移動させて読み取りを行なう構成を有している。従って、画像記録装置には、読取ヘッドを走査するための駆動手段も必要であった。
【０００４】
しかしながら、前記記録ヘッドや読取ヘッドを走査するための駆動手段としては、モータやタイミングベルト等の種々の部品が必要であるため、記録ヘッドと読取ヘッドとにそれぞれ駆動手段を配置していると、装置内のレイアウトや省スペース化に対して制約となるうえに、部品コストも嵩むという問題があった。
【０００５】
そこで、例えば、特許文献１には、記録ヘッドと読取ヘッドとを同じキャリッジに搭載し、これらが常に一体的に移動する構成が記載され、また、特許文献２には、記録ヘッドと読取ヘッドとを１つのタイミングベルトの互いに逆方向に移動する部分に接続し、このタイミングベルトを駆動することで、記録ヘッドと読取ヘッドとを同時に走行させるようにした構成が記載されている。すなわち、前記特許文献１及び２では、記録ヘッドと読取ヘッドとを１つの駆動手段で駆動して両方を常に同時に走査するように構成している。
【特許文献１】特開平９−１０９３７５号公報（図１参照）
【特許文献２】特開２０００−３４９９８１号公報（１参照）
【発明の開示】
【発明が解決しようとする課題】
【０００６】
前述したように、例えば、原稿上の画像をコピーする場合には、載置台上に静置した原稿の画像を読取ヘッドを移動させながら読み取って、そのデータを記録ヘッドを往復移動させながら被記録媒体上に記録するから、記録ヘッドと読取ヘッドの両方の駆動が必要である。しかしながら、ファクシミリ送信の場合には、原稿上の画像を読み取るために読取ヘッドを駆動する必要はあるが、記録ヘッドの駆動は不要である。また、ファクシミリ受信の場合や、外部装置から受信したデータを記録する場合には、被記録媒体上に画像を記録するために記録ヘッドを駆動する必要はあるが、読取ヘッドの駆動は不要である。
【０００７】
すなわち、画像記録装置において使用する機能によっては、記録ヘッドと読取ヘッドとを常に同時に駆動させる必要はないので、いずれか一方を選択的に駆動させたいという要望があった。
【０００８】
また、必要の有無に拘わらず、常に２つのヘッドを１つの駆動手段で同時に駆動させていると、走行させる重量が常に大きいから、モータ等にかかる負担が大きいという問題もあった。
【０００９】
本発明は、上記課題を解消するものであり、読取ヘッドと記録ヘッドとを共通の駆動手段で駆動させることにより、装置内のレイアウトや省スペース化に対する制約を軽減し、さらに必要に応じて、読取ヘッドと記録ヘッドのいずれか一方又は両方の駆動を選択的に行なうことのできる画像記録装置の提供を課題とするものである。
【課題を解決するための手段】
【００１０】
前記目的を達成するために、請求項１に記載の発明における画像記録装置は、原稿に沿って走査される読取ヘッドを有して原稿上の画像を読み取る画像読取部と、被記録媒体に沿って走査される記録ヘッドを有して被記録媒体上に画像を記録する記録部とを備える画像記録装置において、前記記録ヘッド及び前記読取ヘッドの両走査方向が平行であるように構成され、前記記録ヘッド及び前記読取ヘッドのいずれか一方を走査方向に沿って移動させる駆動手段と、前記記録ヘッドと読取ヘッドとを係脱可能に連結する連結手段とが備えられ、この連結手段は、前記記録ヘッドと前記読取ヘッドが連結されて一体的に走査方向に沿って移動される連結モードと、前記記録ヘッドと前記読取ヘッドとの連結が解除されて、一方のみが走査方向に沿って移動される連結解除モードとに選択的に作動することを特徴とするものである。
【００１１】
また、請求項２に記載の発明は、請求項１に記載の画像記録装置において、前記連結手段は、係合穴と、この係合穴に対する係合位置と離脱位置との間で変位可能な係合片と、この係合片を係合位置と離脱位置との間で変位させるアクチュエータと、からなり、前記記録ヘッド側及び前記読取ヘッド側のいずれか一方に係合穴が、他方に係合片がそれぞれ設けられていることを特徴とするものである。
【００１２】
また、請求項３に記載の発明は、請求項１または２に記載の画像記録装置において、前記駆動手段は、前記記録ヘッドに接続されていることを特徴とするものである。
【００１３】
また、請求項４に記載の発明は、請求項３に記載の画像記録装置において、前記画像読取部で読み取った原稿データを、前記記録部で記録する複写モードの場合には、前記読取ヘッドを前記記録ヘッドと連結して、前記読取ヘッドを原点位置から所定位置まで走査し、前記原稿データの一部を読み取り、前記所定位置にて前記記録ヘッドと前記読取ヘッドとの連結を解除して、前記記録ヘッドだけを、前記原稿データの一部を記録するように走査し、さらに、前記所定位置にある前記読取ヘッドと前記記録ヘッドとを連結して、前記読取ヘッドを前記所定位置から次の所定位置まで走査し、前記原稿データの次の一部を読み取り、前記次の所定位置にて前記記録ヘッドと前記読取ヘッドとの連結を解除して、前記記録ヘッドだけを、前記原稿データの次の一部を記録するように走査するように構成されていることを特徴とするものである。
【００１４】
また、請求項５に記載の発明は、請求項１から４のいずれかに記載の画像記録装置において、前記記録ヘッドと前記読取ヘッドのうちの前記係合解除モードの場合に走査されない他方のヘッドに対して、当該ヘッドを移動しないように固定する移動ロック手段が設けられていることを特徴とするものである。
【発明の効果】
【００１５】
請求項１に記載の発明によれば、記録ヘッドと読取ヘッドのいずれか一方を駆動手段と接続し、連結手段により記録ヘッドと読取ヘッドとの連結及び連結解除を切換え可能に構成しているから、１つの駆動手段により、記録ヘッドと読取ヘッドの両方を同時に駆動したり、駆動手段と接続した一方のみを駆動したりできる。その結果、駆動手段を両方にそれぞれ設ける場合に比べて、省スペース化が図れるとともに、装置内でのレイアウトの自由度が高められる。また、必要がない場合には、記録ヘッドと読取ヘッドのいずれか他方、駆動しないので、駆動手段に係る重量的な負担を軽減させることができ、耐久性を向上させることが可能となる。
【００１６】
また、請求項２に記載の発明によれば、連結手段は、係合穴とそれに係脱作動する係合片とによる単純な構成であるから、記録ヘッド及び読取ヘッドへの取り付けが容易であるとともに、連結及び連結解除の動作を確実にさせることができる。
【００１７】
また、請求項３に記載の発明によれば、記録ヘッドに駆動手段を接続すると、記録ヘッドのみを単独で駆動させることができるので、読取ヘッドより記録ヘッドの方が使用頻度が高い場合に有効である。
【００１８】
また、請求項４に記載の発明によれば、原稿データを分割して読み取り、原稿データの読み取り毎に記録を行うように構成しているから、原稿データを記憶する手段に記憶容量を小さいものを採用でき、その結果、原稿データを記憶する手段の部品コストを低減することができる。
【００１９】
また、請求項５に記載の発明によれば、記録ヘッドと読取ヘッドのうちの係合解除モードの際に走査されない他方のヘッドは、移動ロック手段で確実に固定されるので、係合解除モードになった位置でそのまま待機状態が保持されるだけでなく、一方のヘッドが走査されることによりその振動等が伝播しても、位置ずれが生じることなくその位置を保持することができる。
【発明を実施するための最良の形態】
【００２０】
以下に本発明の実施形態を図面に基づいて説明する。図１は実施形態の画像記録装置の正面図、図２は画像記録装置の側面図、図３は図１のIII −III 線矢視縦断面図、図４は図１のIV−IV線矢視横断面図、図５は図２のＶ−Ｖ線矢視縦断面図、図６は図１のVI−VI線矢視縦断面図、図７（ａ）は連結モードの状態を示す説明図、図７（ｂ）は連結解除モードの状態を示す説明図、図８は制御の主要部のブロック図、図９（ａ）及び図９（ｂ）は原稿の読取位置と被記録媒体への記録位置との関係を示す説明図、図１０（ａ）は移動ロック手段におけるロック状態を示す縦断面図、図１０（ｂ）は移動ロック手段におけるロック解除状態を示す縦断面図、図１１（ａ）は移動ロック手段におけるロック状態を示す斜視図、図１１（ｂ）は移動ロック手段におけるロック解除状態を示す斜視図である。
【００２１】
本実施形態の画像記録装置１は、プリンタ機能、コピー機能、スキャナ機能、ファクシミリ機能を備えた多機能装置（ＭＦＤ：Multi Function Device ）に適用したものである。なお、以下の説明では、便宜上、図１、図４及び図５におけるＹ軸方向の左右を画像記録装置１の左右と記し、図２、図３及び図６におけるＸ軸方向の左を画像記録装置１の前（手前）、Ｘ軸方向の右を画像記録装置の後ろ（奥）と記して説明する。
【００２２】
図１及び図３に示すように、画像記録装置１のハウジング２の底部には、ハウジング２の前側の開口部２ａから差し込み可能な給紙カセット３が配置されている。給紙カセット３には、Ａ４サイズ、リーガルサイズ、はがきサイズ等の被記録媒体Ｐを、その短辺が用紙搬送方向（Ｘ軸方向、副走査方向）と直交する方向（Ｙ軸方向、主走査方向）に延びるようにして複数枚積層（堆積）されて収納できるようになっている。
【００２３】
給紙カセット３の奥側（図３における右側）には、用紙分離用の土手部（図示せず）が設けられ、また、基端（上端）がハウジング２に回動可能に支持され且つ先端（下端）に給紙ローラ（図示せず）を備えたアーム（図示せず）が、その給紙ローラを給紙カセット３に堆積状態で収納された被記録媒体Ｐの最上層に当接するように配置されている。これにより、給紙カセット３の被記録媒体Ｐは、最上層から１枚ずつ分離搬送される。分離された被記録媒体Ｐは、上方へ反転するＵターンパス（図示せず）を介して給紙カセット３の上側に設けられた記録部４に給送される。プリンタ機能を実現する記録部４には、記録ヘッド６を搭載した略箱型のキャリッジ５が、Ｙ軸方向（主走査方向）に往復移動可能に設けられている。この実施形態では、記録ヘッド６としてインクジェット式のヘッドが、キャリッジ５の下面側からノズル（図示せず）を露出させるように搭載されており、キャリッジ５の下面側を搬送される被記録媒体Ｐに対して、Ｙ軸方向（主走査方向）に往復移動しながらインクを吐出するように構成されている。
【００２４】
記録部４にて記録された被記録媒体Ｐがその記録面を上向きにして排出される排紙部２７は、給紙カセット３の上側に形成されており、前記開口部２ａが排紙部２７に連通する排紙口として利用される。
【００２５】
ハウジング２における上部には、コピー機能やファクシミリ機能等における原稿読取を実現する画像読取部７が配置されている。この画像読取部７は、その一側端に設けられた枢軸（図示しない）により上下開閉回動可能に構成され、また、画像読取部７の上面を覆う原稿カバー体８は、その後端に設けられた枢軸（図示しない）により上下開閉回動可能に装着されている。
【００２６】
画像読取部７には、原稿カバー体８を上側に開けて原稿を載置することができる載置台として載置用ガラス板９が設けられ、また、載置用ガラス板９の下方には、原稿に対する読取ヘッド１０としてイメージスキャナ装置（ＣＩＳ；Contact Image Sensor）が配置されている。そして、載置用ガラス板９に原稿面を下向きにして静置された原稿を、読取ヘッド１０がＹ軸方向（主走査方向）に走査して読み取るようになっている。
【００２７】
読取ヘッド１０は、図３に示すように、Ｘ軸方向（副走査方向）に長い箱体状に形成されており、その長さ寸法は、載置用ガラス板９における載置可能な原稿のＸ軸方向（副走査方向）の長さ寸法よりも長く形成されており、読取開始位置から読取終了位置までＹ軸方向に沿って片道走査されることで読取が行なわれる。
【００２８】
この読取ヘッド１０は、ハウジング２におけるＸ軸方向の略中央部にてＹ軸方向（主走査方向）に延びるガイド軸１１と、ハウジング２のＸ軸方向の端部寄りにて同じくＹ軸方向（主走査方向）に延びるガイド部材１２、１３とに支持されて、Ｙ軸方向（主走査方向、図３の紙面と直交する方向）に摺動可能に構成されており、記録ヘッド６を備えたキャリッジ５と上下に平行に走査される。また、ハウジング２には、読取ヘッド１０の摺動範囲の限界位置を規定するために、左端リミッタ２５と右端リミッタ２６とが設けられている（図５参照）。
【００２９】
記録部４には、記録ヘッド６を備えた前述のキャリッジ５の他に、図４に示すように、キャリッジ５をその走査方向に駆動する駆動手段２８として、左右（Ｙ軸方向）に延びる平行な２枚の平板状のガイド板１４、１５と、被記録媒体Ｐの搬送方向（矢印Ａ方向）下流側のガイド板１４よりも下流側に設けられたタイミングベルト１６と、このタイミングベルト１６が掛け渡された２つのプーリ１７と、駆動側のプーリ１７に連結されたＣＲ（キャリッジ）モータ２４とが備えられている。タイミングベルト１６にキャリッジ５の搬送方向（矢印Ａ方向）下流側の側部が固定されており、ＣＲ（キャリッジ）モータ２４の回転駆動が、プーリ１７及びタイミングベルト１６を介して、キャリッジ５に伝達され、キャリッジ５とともに記録ヘッド６をＹ軸方向（主走査方向）に走査させる。さらに、記録部４には、キャリッジ５の下面側を搬送される被記録媒体Ｐを支持する板状のプラテン１８と、キャリッジ５のＹ軸方向（主走査方向）の位置を検知するためのキャリッジエンコーダ５８（図８参照）も備えられている。
【００３０】
被記録媒体Ｐを搬送する搬送ローラとして、プラテン１８を挟んで、搬送方向上流側にレジストローラ３０を、搬送方向下流側に排紙ローラ１９をそれぞれ配置しており、被記録媒体Ｐのキャリッジ５の下面側への搬送と、記録済みの被記録媒体Ｐの排紙部２７からの排出を行うようにしている。
【００３１】
ハウジング２の上側の前方には、各種操作ボタンや液晶表示部等を備えた操作パネル部２０が設けられている。また、ハウジング２には、カラー記録のための複数色のインク（例えば、Ｙ（イエロー），Ｍ（マゼンタ）、Ｃ（シアン），Ｂｋ（ブラック）の４色）を個別に貯留するインクカートリッジ（図示せず）が静置されており、このインクカートリッジのインクを、インク供給管（図示せず）を介してキャリッジ５の記録ヘッド６に供給できるようになっている。
【００３２】
記録ヘッド６と読取ヘッド１０との間には、連結手段２９が設けられており、記録ヘッド６と読取ヘッド１０のうちの一方が他方に対して係脱可能に連結するように構成されている。また、連結解除モードになったときに、読取ヘッド１０の位置を固定するための移動ロック手段７０が設けられている。連結手段２９は、読取ヘッド１０がＸ軸方向に長い形状を有しているから、読取ヘッド１０におけるＸ軸方向の略中央部に設けられることが、移動時のバランスをよくするために望ましい。この実施形態では、記録ヘッド６を搭載したキャリッジ５の上面に係合穴２１を、読取ヘッド１０の箱体の下面に係合片２２をそれぞれ設け、係合片２２が係合穴２１に対する係合位置と離脱位置との間で変位して、係脱作動するようになっており、係合片２２に移動ロック手段７０が設けられている。この係合片２２の駆動及び移動ロック手段７０の詳細については後述する。
【００３３】
これにより、図７（ａ）に示すように、キャリッジ５の係合穴２１に読取ヘッド１０の係合片２２が係合している場合には、駆動手段２８が接続されたキャリッジ５（記録ヘッド６）と読取ヘッド１０とが連結モードとなり、キャリッジ５に接続された駆動手段２８によりこれらを一体的に移動させる。図７（ｂ）に示すように、係合穴２１から係合片２２が離脱している場合には、キャリッジ５（記録ヘッド６）と読取ヘッド１０とが連結解除モードとなり、駆動手段２８はキャリッジ５（記録ヘッド６）のみを移動させる。従って、キャリッジ５の移動範囲は、記録ヘッド６の記録範囲と、読取ヘッド１０の読取範囲のいずれか大きい方の範囲に合わせて設定される。この実施形態では、後に詳述するが、読取ヘッド１０の読取範囲の方が大きいので、この読取範囲をカバーできるようにキャリッジ５の移動範囲が設定されている。
【００３４】
次に、この画像記録装置１の制御の概略を、図８に示す主要部のブロック図を参照しながら説明する。画像記録装置１には、データ処理等の記録動作の制御を行うゲートアレイ回路Ｇ／Ａ５１、キャリッジ５の位置を検出するためのキャリッジエンコーダ５８、画像記録装置１全体の制御を行なうＣＰＵ５２、その全体の制御プログラムが格納されたＲＯＭ５９、制御に伴う一時的なデータを格納するためのＲＡＭ６０、設定操作や設定状態の表示を行なう前記操作パネル部２０、記録（印字）データの出力を行なう外部装置（パーソナルコンピュータ等のコンピュータシステム）であるＰＣ６３と接続するためのインターフェースＩ／Ｆ５３、画像読取部７で原稿データを読み取った場合にそれを格納するイメージメモリ５４、ＣＰＵにそれぞれの駆動回路を介して接続された、キャリッジ移動用のＣＲモータ２４（図１参照）と搬送ローラを駆動するためＬＦモータ５５と係合片２２を駆動するための電磁ソレノイド２３、記録位置に被記録媒体Ｐがあるか否かを検出する給紙センサ５７、ヘッドドライバ６１、Ｙ，Ｍ，Ｃ，Ｂｋの４色分の吐出が可能な記録ヘッド６及び電源（図示せず）等を備えている。読取ヘッド１０の位置については、キャリッジエンコーダ５８により検知することができる。
【００３５】
このように構成された画像記録装置１の動作について、図５、図６及び図９を用いて説明する。図５は、キャリッジ５及び読取ヘッド１０が連結モードで中央部に位置する場合と、連結解除モードで左端部及び右端部に位置する場合の、３つの状態を同時に図示している。
【００３６】
なお、この実施形態では、コストの削減を図って前記イメージメモリ５４（図８参照）に記憶容量の小さいものを使用している。そのため、原稿データの大きさによっては、一度に１枚の原稿を全部読み取ることができない。そこで、本実施形態では、１枚の原稿の読み取りを複数回に分割して行い、原稿データの一部を読み取った後に、読み取った分の原稿データを記録部７で記録し、続いて次の一部を読み取った後に、読み取った分の原稿データを記録するという方式を採用した。
【００３７】
従って、載置用ガラス板９に載置された原稿は、読取ヘッド１０のホームポジションに近い側が読取開始側（原点位置）となって、Ｙ軸方向に走査されるライン状の読取ヘッド１０により断続的に読み取りが行なわれる。
【００３８】
一方、被記録媒体は、前述したように、給紙カセット３に、短辺をＹ軸方向（走査方向）に沿わせて収容され、短辺側が先端となって記録部４に反転搬送されるので、短辺側が記録開始側となる。そのため、原稿データを分割して読み取り、読み取る度に被記録媒体に記録していくためには、原稿をその短辺側が読取開始側となるように載置用ガラス板９に載置する必要がある。従って、図９（ａ）に示すように、原稿Ｓは、その短辺をＹ軸方向に一致させて載置されて、Ｙ軸方向（原稿Ｓの長さ方向）に走査される読取ヘッド１０で読み取られる。また、図９（ｂ）に示すように、被記録媒体Ｐは、その短辺をＸ軸方向に一致させて搬送されて、Ｙ軸方向（被記録媒体Ｐの幅方向、長さ方向に直交する方向）に走査される記録ヘッド６により記録される。換言すれば、画像記録装置１では、原稿Ｓと被記録媒体Ｐとは互いに直交する向きに配置される。また、キャリッジ５の移動範囲は、被記録媒体Ｐの記録範囲よりも大きい原稿Ｓの読取範囲により規定される。
【００３９】
なお、図９（ａ）及び図９（ｂ）は、原稿Ｓ及び被記録媒体Ｐをそれぞれ上方から見た状態を示している。原稿Ｓは載置用ガラス板９に原稿面を下向きにして載置されるため、図９（ａ）は、原稿Ｓの原稿面と反対側の面から見た状態を示している。
【００４０】
画像記録装置１においては、読取ヘッド１０と記録ヘッド６とは前の動作（処理）が終了した時点で、それぞれのホームポジションに移動して待機している（図５の右側に図示した状態）。読取ヘッド１０のホームポジションは、右端リミッタ２６に当接する位置である。記録ヘッド６（キャリッジ５）のホームポジションは、キャリッジ５の記録領域の右外側に設けられた位置であり、ノズル等のメンテナンス処理、乾燥防止のキャップによる被覆等が行なわれる位置である。
【００４１】
そして、原稿が載置用ガラス板９に載置され、画像読取部７で読み取った原稿データを記録部４で記録するという複写モード（コピー機能）が、次の動作として操作パネル部２０で操作された場合には、キャリッジ５が、駆動手段２８により、読取ヘッド１０と連結可能な位置に移動させられた後、電磁ソレノイド２３によって読取ヘッド１０の係合片２２が、キャリッジ５の係合穴２１に対する係合位置に変位させられる。これによりキャリッジ５と読取ヘッド１０とは連結モードとなる。
【００４２】
次に、連結モードの状態で、読取ヘッド１０を原稿ＳのＰ１−Ｐ２ラインからＰ３−Ｐ４ラインまで走査し、この領域の原稿データを読み取る。そして、係合片２２を係合穴２１から離脱する位置に変位させて、キャリッジ５と読取ヘッド１０とを連結解除モードにする。これにより、読取ヘッド１０は連結が解除された位置でそのまま待機状態となる一方、キャリッジ５のみが駆動手段２８によって記録開始位置に移動する。読取ヘッド１０の待機状態は移動ロック手段７０により保持される（後に詳述する）。そして、キャリッジ５の記録ヘッド６の走査と、被記録媒体Ｐの搬送方向（矢印Ａ方向）への移動とが協働して、被記録媒体ＰのＰ１′からＰ４′に、読み取った分の原稿データを全て記録する。
【００４３】
次に、キャリッジ５が駆動手段２８により、読取ヘッド１０が待機している位置まで移動させられ、再び係合片２２が係合穴２１に係合して、キャリッジ５と読取ヘッド１０とが連結モードとなる。そして、先の読み取り部分に引き続き、Ｐ５−Ｐ６ラインからＰ７−Ｐ８ラインまでを読み取った後、キャリッジ５と読取ヘッド１０とは前述と同様に連結解除モードとなる。そして、キャリッジ５は先の記録部分に連続する位置に移動し、前述と同様にキャリッジ５の記録ヘッド６の走査と、被記録媒体Ｐの搬送方向（矢印Ａ方向）への移動とが協働して、被記録媒体ＰのＰ５′からＰ８′に、読み取った次の分の原稿データを全て記録する。そして、原稿Ｓの原稿データを全て被記録媒体Ｐに記録するまで、キャリッジ５と読取ヘッド１０とは連結モードと連結解除モードとを切換ながら動作する。
【００４４】
なお、上記説明は、イメージメモリ５４の記憶容量が少ない場合の動作であるが、勿論、イメージメモリ５４の記憶容量が、１枚の原稿の読み取りに十分な容量を有している場合には、キャリッジ５と読取ヘッド１０とを連結モードにして、１枚の原稿Ｓのデータ全てを１回の連続的な読取ヘッド１０の走査で読み取り、その後に連結解除モードにしてキャリッジ５のみを走査し、読み取った原稿データを被記録媒体Ｐに連続して記録するように動作させてもよい。
【００４５】
また、画像記録装置１のその他の機能として、ファックスで受信したデータや外部装置から受信したデータを被記録媒体に記録するというプリンタ機能のみを使う場合には、キャリッジ５と読取ヘッド１０とを連結解除モードにしておき、キャリッジ５のみを駆動させる。また、ファック機能を使い、原稿を読み取って送信する場合には、キャリッジ５と読取ヘッド１０とを連結モードにして、キャリッジ５を介して読取ヘッド１０を駆動させる。
【００４６】
次に、係合片２２の駆動及び移動ロック手段７０について図１０及び図１１を用いて説明する。但し、図１１では、読取ヘッド１０及びその支持部７２の図示を省略している。移動ロック手段７０は、キャリッジ５と読取ヘッド１０とが連結解除モードになって、係合片２２が係合穴２１から離間したときに、読取ヘッド１０の位置を固定してその移動を阻止するように動作するものである。図１０（ａ）及び図１０（ｂ）に示すように、読取ヘッド１０の箱体の下面から垂下する支持部７２には、移動ロック手段７０として、読取ヘッド１０が摺動するガイド軸１１に対して接離動可能にロックレバー７１が設けられている。支持部７２の上下方向の中途部には、横方向（Ｘ軸方向、水平方向）に延びる貫通穴（図示せず）が設けられており、この貫通穴にロックレバー７１が挿通されている。また、支持部７２の下端部の内側には、角筒状の電磁ソレノイド２３が固定されており、電磁ソレノイド２３の中空部分に係合片２２が上下方向に移動可能に挿通されている。そして、電磁ソレノイド２３を励磁・消磁することにより、係合片２２を、支持部７２の下端部から下方に突出してキャリッジ１０側の係合穴２１に係合する係合位置と、支持部７２の内部に略収納される離脱位置との間で変位（上下動）させることができる。
【００４７】
係合片２２の上端部には、係合片２２の上下動によりロックレバー７１をＸ軸方向に移動させてガイド軸１１に対して接離動させる第１ガイド面２２ａが設けられている。ここでは、第１ガイド面２２ａは、その上端がガイド軸１１から離れる方向に傾斜する下向きの傾斜面に形成されており、ロックレバー７１の基端部には、第１ガイド面２２ａに面接触する第２ガイド面７１ｂが形成されている。
【００４８】
ロックレバー７１の接離動方向（Ｘ軸方向）の先端部７１ａは、略板状を呈しているが、そのガイド軸１１側の面には、ガイド軸１１の周面に沿って密着可能な曲面形状部が設けられている。また、ロックレバー７１の接離動方向（Ｘ軸方向）の中途部には、コイルバネ７３が巻回されている。このコイルバネ７３は、ロックレバー７１がガイド軸１１から離間した位置（連結モード）にあるときに、ロックレバー７１の先端部７１ａと支持部７２の側面との間で圧縮され、ロックレバー７１がガイド軸１１に接触した位置（連結解除モード）にあるときには、ロックレバー７１の先端部７１ａをガイド軸１１へ押圧するように設けられている。ガイド軸１１に当接する先端部７１ａの部位には、高摩擦部材（ゴムや布等）を設けてもよい。
【００４９】
このように構成することで、キャリッジ５と読取ヘッド１０とが連結モードになるときには、図１０（ｂ）及び図１１（ｂ）に示すように、電磁ソレノイド２３の磁力により係合片２２が下方に突出して係合穴２１（図１０及び図１１には図示せず）に係合する。そしてこの係合片２２の下方への移動に伴って、ロックレバー７１の第２ガイド面７１ａが第１ガイド面２２ａに案内され、ロックレバー７１自体がガイド軸１１から離間する方向に移動させられる。この状態でキャリッジ５と読取ヘッド１０とが駆動手段２８で一体的に駆動されると、読取ヘッド１０はガイド軸１１に沿って滑らかに摺動する。このとき、コイルバネ７３は、支持部７２の側面と先端部７１ａとの間で圧縮されている。
【００５０】
キャリッジ５と読取ヘッド１０とが連結解除モードになるときには、電磁ソレノイド２３が消磁され、圧縮されていたコイルバネ７３の復元力により、ロックレバー７１が、図１０（ａ）及び図１１（ａ）に示すように、その先端部７１ａをガイド軸１１に接触させる（押圧する）位置に移動する。そして、ロックレバー７１の第２ガイド面７１ｂがガイド軸１１に近づく方向に移動するのに伴って、第１ガイド面２２ａが係合片２２を上方に引き上げるように案内される。これにより、係合片２２が係合穴２１から離間するとともに、ロックレバー７１がガイド軸１１に密着し、その結果、支持部７２を介して読取ヘッド１０がガイド軸１１に固定されるロック状態となる。すなわち、キャリッジ５と読取ヘッド１０とが連結解除モードになると、その位置で、読取ヘッド１０はガイド軸１１に固定され、読取ヘッド１０の移動が阻止された状態となる。従って、この状態で駆動手段２８がキャリッジ５のみを駆動させてその振動が読取ヘッド１０に伝わっても、読取ヘッド１０は位置ずれすることがなく、連結解除モードとなった位置での待機状態が確実に保持されるのである。
【００５１】
なお、係合片２２の駆動方法、アクチュエータの種類、及び移動ロック手段７０は、上記構成に限定するものではなく、適宜変更可能である。
【００５２】
上記実施形態で説明したように、読取ヘッド１０の駆動と記録ヘッド６（キャリッジ５）の駆動とを１つの駆動手段２８により行なっているから、従来それぞれに駆動手段を設けていた場合に比べて、画像記録装置１における省スペース化が図れ、全体のレイアウトに対する自由度も高められる。
【００５３】
また、１つの駆動手段２８で駆動しながら、必要に応じて、記録ヘッド６（キャリッジ５）のみを単独で駆動するように切換できるから、常に読取ヘッド１０と記録ヘッド６（キャリッジ５）とを一体的に駆動させる場合に比べて、ＣＲ（キャリッジ）モータ２４等の駆動手段２８に係る重量的な負担も軽減することができる。
【００５４】
また、移動ロック手段７０を設け、連結解除モードでは、連結が解除された位置で読取ヘッド１０が固定され、その移動が阻止されるようにしているから、再び連結モードとなるときに、連結が解除された位置に戻ったキャリッジ５（記録ヘッド６）と読取ヘッド１０とを確実に連結することができる。
【００５５】
なお、上記実施形態では、読取ヘッド１０に比べて使用頻度の高い記録ヘッド６（キャリッジ５）に、駆動手段を接続するようにしたが、読取ヘッド１０に駆動手段を接続するように構成してもよい。この場合には、移動ロック手段は、記録ヘッド６側に設けられ、連結解除モードの際には、記録ヘッド６が移動しないように固定される。また、上記実施形態の連結手段２９は、記録ヘッド６側に係合穴２１を、読取ヘッド１０側に係合片２２を設ける構成としたが、係合穴２１と係合片２２の取り付けは、逆であってもよい。
【００５６】
また、記録へッド６にインクジェット式のヘッドを適用して説明したが、上記と同様に走査されるヘッドであれば、必ずしもインクジェット方式のヘッドでなくてもよい。
【図面の簡単な説明】
【００５７】
【図１】実施形態の画像記録装置の正面図である。
【図２】画像記録装置の側面図である。
【図３】図１のIII −III 線矢視縦断面図である。
【図４】図１のIV−IV線矢視横断面図である。
【図５】図２のＶ−Ｖ線矢視縦断面図である。
【図６】図１のVI−VI線矢視縦断面図である。
【図７】（ａ）は連結モードの状態を示す説明図、（ｂ）は連結解除モードの状態を示す説明図である。
【図８】制御の主要部のブロック図である。
【図９】（ａ）及び（ｂ）は原稿の読取位置と被記録媒体への記録位置との関係を示す説明図である。
【図１０】（ａ）は移動ロック手段におけるロック状態を示す縦断面図、（ｂ）は移動ロック手段におけるロック解除状態を示す縦断面図である。
【図１１】（ａ）は移動ロック手段におけるロック状態を示す斜視図、（ｂ）は移動ロック手段におけるロック解除状態を示す斜視図である。
【符号の説明】
【００５８】
１      画像記録装置
２      ハウジング
４      記録部
５      キャリッジ
６      記録ヘッド
７      画像読取部
９      載置用ガラス板
１０    読取ヘッド
１６    タイミングベルト
２１    係合穴
２２    係合片
２４    ＣＲ（キャリッジ）モータ
２８    駆動手段
２９    連結手段
７０    移動ロック手段
【図１】
2006279422.tif 000003
【図２】
2006279422.tif 000004
【図３】
2006279422.tif 000005
【図４】
2006279422.tif 000006
【図５】
2006279422.tif 000007
【図６】
2006279422.tif 000008
【図７】
2006279422.tif 000009
【図８】
2006279422.tif 000010
【図９】
2006279422.tif 000011
【図１０】
2006279422.tif 000012
【図１１】
2006279422.tif 000013